(57)【要約】【課題】偏平な折畳状態から迅速に組み立てることができる仕切部材を提供する。【解決手段】一対の幹仕切板２２を上端となる山折線２２ａを軸に折り重ね、幹仕切板２２の下端となる端辺の一側部分に連設した底板２３を水平方向へ開くように折り曲げ、底板２３の内側端に連設した枝仕切板２４を起立させ、枝仕切板２４の先端に連設した延枠板２５を幹仕切板２２の他側方向へ折り曲げ、延枠板２５の先端に連設した端枠板２６を幹仕切板２２へ向けて折り曲げ、端枠板２６の先端部を幹仕切板２２に固定することにより、幹仕切板２２と枝仕切板２４とで区画された収納部を形成し、底板２３に幹仕切板２２及び枝仕切板２４との境界がなす角部を二等分する斜め４５°の谷折線２３ａを入れ、折り畳みに際し、底板２３をその谷折線２３ａに沿って二つ折りにし、底板２３同士を重ね合わせ、幹仕切板２２と枝仕切板２４、延枠板２５及び端枠板２６とを重ね合わせる。【選択図】図６
2015098330.tif 000002
【特許請求の範囲】
【請求項１】
一対の幹仕切板(22)を上端となる山折線(22a)を軸に折り重ね、幹仕切板(22)の下端となる端辺の一側部分に連設した底板(23)を水平方向へ開くように折り曲げ、底板(23)の内側端に連設した枝仕切板(24)を起立させ、枝仕切板(24)の先端に連設した延枠板(25)を幹仕切板(22)の他側方向へ折り曲げ、延枠板(25)の先端に連設した端枠板(26)を幹仕切板(22)へ向けて折り曲げ、端枠板(26)の先端部を幹仕切板(22)に固定することにより、幹仕切板(22)と枝仕切板(24)とで区画された収納部を形成し、底板(23)に幹仕切板(22)及び枝仕切板(24)との境界がなす角部を二等分する斜め４５°の谷折線(23a)を入れ、折り畳みに際し、底板(23)をその谷折線(23a)に沿って二つ折りにし、底板(23)同士を重ね合わせ、幹仕切板(22)と枝仕切板(24)、延枠板(25)及び端枠板(26)とを重ね合わせる仕切部材。
【発明の詳細な説明】
【技術分野】
【０００１】
この発明は、折畳状態から簡単に組み立てられる仕切部材に関するものである。
【背景技術】
【０００２】
包装箱に内装する組立式の仕切部材として、下記特許文献１には、図１１に示すようなものが記載されている。
【０００３】
この仕切部材は、一対の幹仕切板５１を上端となる山折線５１ａを軸に折り重ね、幹仕切板５１の下端に連設した底板５２を水平方向へ開くように折り曲げ、底板５２に連設した側枠板５３を起立させつつ、側枠板５３の両端に連設した枝仕切板５４を幹仕切板５１の方向へ折り曲げ、幹仕切板５１と枝仕切板５４の切込５５同士を噛み合わせて、幹仕切板５１と枝仕切板５４とで区画された収納部を形成するものである。
【先行技術文献】
【特許文献】
【０００４】
【特許文献１】実開平３−４５２４号公報
【発明の概要】
【発明が解決しようとする課題】
【０００５】
しかしながら、上記のような仕切部材では、組み立てに際し、ブランクの折り曲げを順次行い、切込同士を噛み合わせなければならず、その作業に手間がかかる。
【０００６】
このため、例えば、偏平な折畳状態で小売店へ配送され、店頭で組み立てられる陳列具のトレイに上記のような仕切部材を内装して、区画された商品の収納部を形成しようとする場合、陳列作業が煩雑になるという問題があるほか、偏平なブランク状態では、面積が大きくなるという問題がある。
【０００７】
そこで、この発明は、偏平かつコンパクトに折り畳むことができ、折畳状態から迅速に組み立てることができる仕切部材を提供することを課題とする。
【課題を解決するための手段】
【０００８】
上記課題を解決するため、この発明に係る仕切部材は、一対の幹仕切板を上端となる山折線を軸に折り重ね、幹仕切板の下端となる端辺の一側部分に連設した底板を水平方向へ開くように折り曲げ、底板の内側端に連設した枝仕切板を起立させ、枝仕切板の先端に連設した延枠板を幹仕切板の他側方向へ折り曲げ、延枠板の先端に連設した端枠板を幹仕切板へ向けて折り曲げ、端枠板の先端部を幹仕切板に固定することにより、幹仕切板と枝仕切板とで区画された収納部を形成し、底板に幹仕切板及び枝仕切板との境界がなす角部を二等分する斜め４５°の谷折線を入れ、折り畳みに際し、底板をその谷折線に沿って二つ折りにし、底板同士を重ね合わせ、幹仕切板と枝仕切板、延枠板及び端枠板とを重ね合わせることとしたのである。
【発明の効果】
【０００９】
この発明に係る仕切部材では、幹仕切板と枝仕切板のなす角を挟む二辺に連なった底板に斜め４５°の谷折線を入れ、枝仕切板から延枠板を介して連なる端枠板の先端部を幹仕切板に固定したので、偏平かつコンパクトに折り畳むことができ、その折畳状態から迅速に組み立てることができる。このため、折畳式の陳列具に適用した場合、組み立てに手間取ることがなく、陳列作業の負担が軽減される。
【図面の簡単な説明】
【００１０】
【図１】この発明の実施形態に係る仕切部材をトレイに取り付けた陳列具の組立陳列状態を示す斜視図
【図２】同上の陳列具の折畳状態を示す斜視図
【図３】同上の中段のトレイ及び仕切部材の折畳状態を示す拡大斜視図
【図４】同上の中段のトレイ及び仕切部材の組立過程を示す拡大斜視図
【図５】同上の中段のトレイ及び仕切部材の組立過程を示す拡大斜視図
【図６】同上の中段のトレイ及び仕切部材の組立状態を示す拡大斜視図
【図７】同上の上段のトレイ及び仕切部材の組立状態を示す拡大斜視図
【図８】同上の陳列具の基板のブランクを示す図
【図９】同上の中段のトレイ及び仕切部材のブランクを示す図
【図１０】同上の上段と下段のトレイ及び仕切部材のブランクを示す図
【図１１】従来の仕切部材の組立過程を示す斜視図
【発明を実施するための形態】
【００１１】
以下、この発明の実施形態に係る仕切部材をトレイに内装した陳列具について、添付図面に基づいて説明する。
【００１２】
図１に示すように、この陳列具は、縦方向に長い方形板状の本体１の前面に、中段のトレイ２、上段のトレイ３及び下段のトレイ４を取り付け、中段のトレイ２に、この出願に係る仕切部材２１を内装し、上段及び下段のトレイ３，４に、他の形態の仕切部材３１，４１を内装したものとされている。トレイ２，３，４は、収納した商品Ｇを見やすくするため、周壁が前方へかけて低くなった形状とされている。
【００１３】
本体１は、図８に示す合紙のブランクから形成される。このブランクでは、基板５の両側に半切の折目線を介して裏板６が連設されている。基板５には、トレイ２，３，４を取り付けるための横方向に長いスリット７が中間部、上部及び下部に設けられ、紐穴８が上端角部に設けられている。紐穴８には吊下用の紐８ａが挿通され、紐８ａにより商品Ｇのキャッチコピー等を印刷した広告パネル９が陳列具の上方に保持される。
【００１４】
トレイ２，３，４は、図９及び図１０に示す板紙のブランクから形成される。このブランクでは、前板１０の両側端に側板１１が連設され、一方の側板１１から後板１２及び継代片１３が順次連設されている。前板１０及び後板１２の下端には折畳用の斜め折目線を入れた底板１４が連設され、側板１１の下端には底板１５が連設されている。前板１０の上端には前重板１６が連設され、後板１２の上端には差込片１７が連設されている。これらの各部分の境界には、押罫の折目線が入れられている。
【００１５】
また、トレイ２のブランクにおいて、前重板１６には、仕切部材２１の取付時における位置決め用の目印１６ａとして切目線が入れられている。
【００１６】
仕切部材２１は、図９に示す板紙のブランクから形成される。このブランクでは、一対の幹仕切板２２が上端となる端辺の山折線２２ａを介して連設され、幹仕切板２２の下端となる端辺の一側部分には底板２３が連設されている。底板２３の内側端には枝仕切板２４が連設され、枝仕切板２４の先端には延枠板２５、端枠板２６及び貼付片２７が順次連設されている。また、一方の底板２３には、幹仕切板２２と反対側の端辺に取付片２８が連設されている。
【００１７】
そして、底板２３には、幹仕切板２２及び枝仕切板２４との谷折線とされた境界がなす角部を二等分するように、斜め４５°の谷折線２３ａが入れられている。これらの谷折線には、折り曲げを容易とするため、断続する切目が入れられ、交点に逃穴が設けられている。また、このブランクの他の部分の境界には、押罫の折目線が入れられ、これらの折目線は、谷折線となる底板２３と取付片２８の境界を除き、山折線とされている。
【００１８】
なお、山折線は、用紙の表面側が突き出す方向へ折り曲げる折目線であり、谷折線は、用紙の表面が窪む方向へ折り曲げる折目線である。
【００１９】
仕切部材３１，４１は、共通の構成であり、図１０に示す板紙のブランクから形成される。このブランクでは、二分割された底板３２，４２の間に一対の仕切板３３，４３が連設され、一方の底板３２，４２の後端には、中立板３４，４４、棚板３５，４５、後立板３６，４６及び底敷板３７，４７が順次連設されている。また、この底板３２，４２の前端には、中立板３４，４４と同一幅の取付片３８，４８が連設されている。底板３２，４２とこれに連なる各部分との境界は、断続する切目を入れた谷折線とされ、他の部分の境界は、押罫の山折線とされている。
【００２０】
また、一対の仕切板３３，４３には、それぞれ中立板３４，４４へ向けて係合突起３３ａ，４３ａが突設され、中立板３４，４４の中央部には、縦向きスリット状の係合穴３４ａ，４４ａが設けられている。
【００２１】
なお、底板４２の前後方向の寸法は、底板３２の前後方向の寸法よりも少し大きく、棚板４５の前後方向の寸法は、棚板３５の前後方向の寸法よりも少し小さくなっている。
【００２２】
上記のような各部材のブランクから陳列具を組み立てるには、トレイ２，３，４のブランクにおいて、例えば、トレイ２について図３に示すように、底板１４，１５を裏面側へ折り返し、さらに底板１４を斜め折目線に沿って折り返し、その折り返した領域内と継代片１３とに接着剤を塗布し、前板１０と一方の側板１１との境界の折目線及び他方の側板１１と後板１２との境界の折目線に沿って折り畳みながら圧着する。
【００２３】
また、仕切部材２１のブランクにおいて、一対の幹仕切板２２を山折線２２ａを軸に折り重ね、底板２３を幹仕切板２２に対して直角に開くように折り曲げ、底板２３から枝仕切板２４を起立させ、延枠板２５を幹仕切板２２の他側方向へ幹仕切板２２と平行となるように折り曲げ、端枠板２６を幹仕切板２２へ向けて枝仕切板２４と平行となるように折り曲げて、貼付片２７を幹仕切板２２の間に挟み込み、幹仕切板２２同士を貼り合わせると共に、幹仕切板２２と貼付片２７とを貼り合わせる。
【００２４】
そして、仕切部材２１は、底板２３を谷折線２３ａに沿って二つ折りにした状態で、底板２３同士を重ね合わせ、幹仕切板２２と枝仕切板２４、延枠板２５及び端枠板２６とを重ね合わせた折畳状態とし、取付片２８をトレイ２の前重板１６の裏面に貼り付けることにより、トレイ２に取り付ける。前重板１６への取付片２８の貼り付けに際しては、取付片２８の先端を前重板１６の目印１６ａに沿わせる。
【００２５】
さらに、図１０に示す仕切部材３１，４１のブランクにおいて、例えば、仕切部材３１の場合、棚板３５と後立板３６の境界の折目線に沿って折り曲げ、底敷板３７の先端部をこの底板３２の裏面に貼り付け、仕切板３３同士を重ねた状態とする。
【００２６】
そして、図２に示すように、仕切部材３１は、取付片３８をトレイ３の前重板１６の裏面に貼り付けることにより、トレイ３に取り付ける。仕切部材４１についても、仕切部材３１と同様に組み立て、トレイ４に取り付ける。
【００２７】
このようなトレイ２，３，４を本体１に取り付けるには、差込片１７をスリット７に差し込んで下方となる方向へ折り曲げ、後板１２を基板５に貼り付ける。
【００２８】
その後、本体１において、基板５の両側から裏板６を後方へ折り返し、基板５の後面に裏板６を貼り付けることにより、本体１を合紙が積層された強固なものとする。
【００２９】
上記のように組み立てた陳列具は、図２に示すように、偏平に折り畳んだ状態で、商品と同梱して小売店へ配送されるので、別途輸送コストがかかることがない。
【００３０】
そして、店頭で陳列具を使用する際には、トレイ２，３，４を組み立てると共に、仕切部材２１について、図４及び図５に示すように、底板２３の谷折線２３ａに沿った折り曲げを伸ばすと、幹仕切板２２と枝仕切板２４とが直交した組立状態となるので、その状態で、図６に示すように、仕切部材２１をトレイ２に内装し、幹仕切板２２と枝仕切板２４とで区画された収納部を形成する。
【００３１】
このように、仕切部材２１は、複雑な折曲作業や切込同士の噛み合わせ作業を行うことなく、一つの動作のみで使用状態に組み立てることができるので、店頭での陳列作業における従業員の負担を軽減することができる。
【００３２】
また、仕切部材３１，４１は、偏平に折り畳んだ状態から、例えば、仕切部材３１について図７に示すように、中立板３４、棚板３５、後立板３６及び底敷板３７を角筒状に折り曲げて、係合突起３３ａと係合穴３４ａとを係合させ、仕切板３３，４３を起立させた状態に組み立て、トレイ３に内装する。さらに、仕切部材４１も同様に組み立て、トレイ４に内装する。これにより、図１に示すように、前側の底板３２，４２よりも後側の棚板３５，４５が高くなる雛壇状とする。
【００３３】
そして、トレイ２において、幹仕切板２２と枝仕切板２４とで区画された収納部にスプレー缶入り化粧品等の商品Ｇを収納すると共に、トレイ３，４において、仕切板３３，４３で区画された収納部に商品Ｇを収納し、棚板３５，４５に商品Ｇを載せると、商品Ｇを整然と見栄えよく陳列することができる。
【００３４】
なお、上記実施形態では、仕切部材２１として、幹仕切板２２と枝仕切板２４とで区画された４つの収納部が均等の大きさとなるものを例示したが、各収納部が異なる大きさとなるようにしてもよい。
【００３５】
また、十字状に区画された４つの収納部が形成されるものを例示したが、幹仕切板２２を延長して、底板２３、枝仕切板２４、延枠板２５、端枠板２６を複数組設けることにより、４つの収納部を１つのユニットとして、複数ユニットの収納部が形成されるようにしてもよい。
【００３６】
また、陳列具への取付状態でトレイの底板に当接するものを例示したが、トレイの底板から浮き上がるように取り付けてもよい。
【００３７】
そのほか、陳列具のワンタッチ底のトレイに取り付ける場合について例示したが、上記のような仕切部材２１は、他の形式の折畳可能なトレイや各種の箱に取り付け、又は別体として内装することにより使用することもできる。
【符号の説明】
【００３８】
１  本体
２，３，４  トレイ
５  基板
６  裏板
７  スリット
８  紐穴
８ａ  紐
９  広告パネル
１０  前板
１１  側板
１２  後板
１３  継代片
１４  底板
１５  底板
１６  前重板
１６ａ  目印
１７  差込片
２１  仕切部材
２２  幹仕切板
２２ａ  山折線
２３  底板
２３ａ  谷折線
２４  枝仕切板
２５  延枠板
２６  端枠板
２７  貼付片
２８  取付片
３１，４１  仕切部材
３２，４２  底板
３３，４３  仕切板
３３ａ，４３ａ  係合突起
３４，４４  中立板
３４ａ，４４ａ  係合穴
３５，４５  棚板
３６，４６  後立板
３７，４７  底敷板
３８，４８  取付片
Ｇ  商品
【図１】
2015098330.tif 000003
【図２】
2015098330.tif 000004
【図３】
2015098330.tif 000005
【図４】
2015098330.tif 000006
【図５】
2015098330.tif 000007
【図６】
2015098330.tif 000008
【図７】
2015098330.tif 000009
【図８】
2015098330.tif 000010
【図９】
2015098330.tif 000011
【図１０】
2015098330.tif 000012
【図１１】
2015098330.tif 000013